(57)【要約】【課題】箸袋が持つ短手方向の高剛性を利用して箸袋を横向きに立てて使用される箸置きにおいて、箸置き時の自立状態が安定し、しかも丸箸等であっても落とさず、箸先に付着する煮汁やかけ汁、調味料等を受け止めることができる箸袋利用の箸置きを提供する。【解決手段】  箸袋１長手側中間部または略中間部に設けた内折り部１ａから半折された半折部１−１各々の遊端側同士を切目部１ｂで相互に交差状に掛止させて一側の長手縁を載承部にして立体的に立つ箸置き本体２−１を形成し、該箸置き本体２−１の半折部１−１、１−１各々に他側の長手縁を開放端とする箸置き凹部２−２、２−２を形成し、該箸置き凹部２−２、２−２は、前記他側の長手縁を始端して平行状に設けた切目部１ｃ、１ｃ間を半折部１−１内側方向に各々折曲して受け面部２−３、２−３を底部に有する形態に形成する。【選択図】  図１
2005104529.tif 000002
【特許請求の範囲】
【請求項１】
箸袋（１）長手側中間部または略中間部に設けた内折り部（１ａ）から長手方向に半折された半折部（１−１）各々の遊端側同士を切目部（１ｂ）で相互に交差状に掛止させて一側の長手縁を載承部にして立体的に立つ箸置き本体（２−１）を形成し、該箸置き本体（２−１）の半折部（１−１）各々に他側の長手縁を開放端とする箸置き凹部（２−２）（２−２）を形成し、該箸置き凹部（２−２）（２−２）は、前記他側の長手縁を始端して平行状に設けた切目部（１ｃ）（１ｃ）間各々を半折部（１−１）（１−１）で囲繞される空間方向またはその空間外方向に各々折曲して受け面部（２−３）（２−３）を底部に有する形態に形成されていることを特徴とする箸袋利用の箸置き。
【請求項２】
短手方向に２つの袋体（１１）（１１）を並設する箸袋（１）から形成される２つの箸置き本体（２−１）（２−１）と、各々の箸置き本体（２−１）（２−１）に形成される箸置き凹部（２−２）（２−２）とを備え、前記箸袋（１）は、袋体（１１）（１１）を隔てる短手方向中間部一端の否切り離し部（２１）を除く長手方向全長に亘って設けた切目部（１ｇ）からその否切り離し部（２１）を除いて切り離し可能に形成するとともに前記切目部（１ｇ）の否切り離し部（２１）側の端部に短手方向に折り部（１ｐ）を設け、更に否切り離し部（２１）中央に設けた折り部（１ｑ）から短手方向に横折可能に構成され、前記２つの箸置き本体（２−１）（２−１）は、前記切目部（１ｇ）から切り離して前記折り部（１ｑ）から短手方向に横折りされた２つの切り離された袋体（１１）（１１）長手側中間寄り各々に設けた内折り部（１ｈ）からの半折部（１−１）の折返端側を、その折返端部近傍及び否切り離し部（２１）近傍に各々設けた切目部（１ｉ）で交差状に掛止させるとともに前記折り部（１ｐ）から折曲して否切り離し部（２１）を隔てて一側の長手縁を載承部にして立体的に立つように直線状に連続形成され、前記箸置き凹部（２−２）（２−２）は、２つの箸置き本体（２−１）（２−１）の半折部（１−１）、否半折部（１−３）各々に他側の長手縁を始端にして平行状に設けた切目部（１ｋ）（１ｋ）間各々を半折部（１−１）と否半折部（１−３）とで囲繞される空間方向またはその空間外方向に各々折曲して受け面部（２−３）（２−３）を底部に有する形態に形成されることを特徴とする箸袋利用の箸置き。
【請求項３】
前記半折部（１−１）、否半折部（１−３）において、前記平行状の切目部（１ｃ）（１ｃ）、（１ｋ）（１ｋ）の内、交差部（２−４）に近い側の切目部（１ｃ）、（１ｋ）と交差部（２−４）との間に、短手方向に内折り部（１ｅ）、（１ｍ）を設けていることを特徴とする請求項1または２記載の箸袋利用の箸置き。
【請求項４】
箸置き本体（２−１）の前記交差部（２−４）から外方に延びる遊端部の中途に短手方向に内折り部（１ｆ）を設け、その内折り部（１ｆ）から相対する方向に折曲させた係合用片部（１−２）（１−２）同士を係合させていることを特徴とする請求項１記載の箸袋利用の箸置き。
【請求項５】
前記囲繞される空間方向に受け面部（２−３）（２−３）を折曲し、該受け面部（２−３）（２−３）が同士をオーバーラップさせてあることを特徴とする請求項１〜４いずれか１項記載の箸袋利用の箸置き。
【請求項６】
前記箸袋（１）は長手側一端部に占い部（３１）を、短手方向に設けた切目部（１ｗ）を介して長手方向に有し、該占い部（３１）を切目部（１ｗ）から切り離し、開いて内面の記載内容を読み取り可能にしていることを特徴とする請求項１または４記載の記載の箸袋利用の箸置き。
【請求項７】
前記否切り離し部が占い部（３１）で構成され、該占い部（３１）は、前記折り部（１ｐ）に代えて設けられた短手方向の切目部（１ｘ）を介して設けられ、該占い部（３１）を切目部（１ｘ）から切り離し、開いて内面の記載内容を読み取り可能とし、占い部（３１）の切り離し後に前記切目部（１ｇ）から切り離された各々の袋体（１１）長手側中間部または略中間部に設けた内折り部（１ｈ）から長手方向に半折された半折部各々の遊端側同士を切目部（１ｉ）で相互に交差状に掛止させて一側の長手縁を載承部にして立体的に立つ箸置き本体を各々独立して形成していることを特徴とする請求項２記載の記載の箸袋利用の箸置き。
【請求項８】
前記切目部（１ｂ）、（１ｃ）、（１ｇ）、（１ｉ）、（１ｋ）、（１ｗ）、（１ｘ）がミシン目であることを特徴とする請求項１〜７いずれか１項記載の箸袋利用の箸置き。
【発明の詳細な説明】
【技術分野】
【０００１】
本発明は、箸袋を利用した箸置きに関するものである。
【背景技術】
【０００２】
従来、箸袋を利用した箸置きには様々な種類のものがあるが、無端状の細長シート部材の表面に箸入れを形成するシート部材を貼着した構成のもの（特許文献１）や、箸袋の長手方向中途部に内折り線を設けるとともに、その箸袋の側縁に箸載せ凹部を切欠形成した構成のもの（特許文献２）がその一例として知られている。
【０００３】
両者ともに箸袋が横向きに立つ構成のため、箸袋が持つ短手方向の高剛性を利用した強度のある箸置きを構成することができる。
しかしながら、前者では無端状の細長シート部材と、その細長シート部材の表面に３縁を貼着するシート部材とで新規な箸袋を構成しており、箸袋の直線縁（短手縁）で箸先を受ける構成のため、丸箸等の転がり易い箸の場合、転がり落ちる虞れがある。
また、後者は、凹部で転がり易い丸箸等を落とさずに受けることができるが、長手方向中途部から平面視Ｖの字状に折り返しただけであるので、折り返しの復元力で鈍角状に広がって嵩張り、邪魔になる虞れがあった。
更に両者ともに、箸先に付着する煮汁やかけ汁、調味料等が滴下した際の安全策を具備していない現状もある。
【特許文献１】実公平６−１５８９８号公報
【特許文献２】実開昭５９−８６８１号公報
【発明の開示】
【発明が解決しようとする課題】
【０００４】
本発明は上記従来事情に鑑みてなされたもので、その目的とする処は箸袋が持つ短手方向の高剛性を利用して箸袋を横向きに立てて使用される箸置きにおいて、箸置き時の自立状態が安定し、しかも丸箸等であっても落とさず、その上箸先に付着する煮汁やかけ汁、調味料等を受け止めることができる箸袋利用の箸置きを提供することにある。
他の目的とする処は、ペアで楽しめる箸袋利用の箸置きを提供することにある。
更に他の目的とする処は、箸袋から箸置きを作りながら占いも楽しめる箸袋利用の箸置きを提供することにある。
【課題を解決するための手段】
【０００５】
前記課題を解決するために講じた技術的手段は、箸袋（１）長手側中間部または略中間部に設けた内折り部（１ａ）から長手方向に半折された半折部（１−１）各々の遊端側同士を切目部（１ｂ）で相互に交差状に掛止させて一側の長手縁を載承部にして立体的に立つ箸置き本体（２−１）を形成し、該箸置き本体（２−１）の半折部（１−１）各々に他側の長手縁を開放端とする箸置き凹部（２−２）（２−２）を形成し、該箸置き凹部（２−２）（２−２）は、前記他側の長手縁を始端して平行状に設けた切目部（１ｃ）（１ｃ）間各々を半折部（１−１）（１−１）で囲繞される空間方向またはその空間外方向に各々折曲して受け面部（２−３）（２−３）を底部に有する形態に形成されていることを特徴とする箸袋利用の箸置きである（請求項１）。
また、短手方向に２つの袋体（１１）（１１）を並設する箸袋（１）から形成される２つの箸置き本体（２−１）（２−１）と、各々の箸置き本体（２−１）（２−１）に形成される箸置き凹部（２−２）（２−２）とを備え、前記箸袋（１）は、袋体（１１）（１１）を隔てる短手方向中間部一端の否切り離し部（２１）を除く長手方向全長に亘って設けた切目部（１ｇ）からその否切り離し部（２１）を除いて切り離し可能に形成するとともに前記切目部（１ｇ）の否切り離し部（２１）側の端部に短手方向に折り部（１ｐ）を設け、更に否切り離し部（２１）中央に設けた折り部（１ｑ）から短手方向に横折可能に構成され、前記２つの箸置き本体（２−１）（２−１）は、前記切目部（１ｇ）から切り離して前記折り部（１ｑ）から短手方向に横折りされた２つの切り離された袋体（１１）（１１）長手側中間寄り各々に設けた内折り部（１ｈ）からの半折部（１−１）の折返端側を、その折返端部近傍及び否切り離し部（２１）近傍に各々設けた切目部（１ｉ）で交差状に掛止させるとともに前記折り部（１ｐ）から折曲して否切り離し部（２１）を隔てて一側の長手縁を載承部にして立体的に立つように直線状に連続形成され、前記箸置き凹部（２−２）（２−２）は、２つの箸置き本体（２−１）（２−１）の半折部（１−１）、否半折部（１−３）各々に他側の長手縁を始端にして平行状に設けた切目部（１ｋ）（１ｋ）間各々を半折部（１−１）と否半折部（１−３）とで囲繞される空間方向またはその空間外方向に各々折曲して受け面部（２−３）（２−３）を底部に有する形態に形成されるようにすると、好適なものである(請求項２)。
請求項１が配箸状態から個人（例えばお客）が折り込んで作る箸置きであるのに対して、この請求項２は、例えば長テーブルであれば、並んで座る二人の中央、対面して座るテーブル等であればテーブル中央の脇部分等に立てて二人で使用可能に立てて使用され、ペアやアベック（例えばお客）等が配箸状態から折り込んで作る箸置きである。
そして、そのペア用の箸置きを作る時は、図３〜図１１に示すように２組の袋体（１１）（１１）が一体的に並設されている配箸状態から、２つの袋体（１１）（１１）を一端の否切り離し部（２１）を除いて長手方向に切り離した後、否切り離し部（２１）の中央に設けた折り部（１ｑ）から横折し、各々の袋体（１１）（１１）を長手側中間寄りに設けた内折り部（１ｈ）から長手方向に折り返した半折部（１−１）のその折返端側をその折返端部近傍及び否切り離し部（２１）近傍に各々設けた切目部（１ｉ）で相互に交差状に掛止させることによって、一側の長手縁を載承部にして立体的に立つ２つの箸置き本体（２−１）（２−１）が連続形成される。
そして、各々の箸置き本体（２−１）（２−１）に形成されている平行状の切目部（１ｋ）（１ｋ）から受け面部（２−３）を半折部（１−１）、否半折部（１−３）で囲繞される空間方向または空間外方向に折曲することによって、自ずと箸置き凹部（２−２）が形成され、丸箸等の転がり易い箸でも安心して置ける箸置きが完成する。前記受け面部の折曲はどの段階で行なっても良いものである。
また、請求項１の半折部（１−１）（１−１）、請求項２の半折部（１−１）と否半折部（１−３）に設けられている受け面部（２−３）（２−３）は、双方を囲繞される空間方向に向けて折曲する場合と、箸先方向において手前に位置する受け面部（２−３）を囲繞される空間方向に向けて折曲し、奥側に位置する受け面部（２−３）を囲繞される空間外方向に向けて折曲する。等、その折曲方向を箸の長さや、箸置き凹部（２−２）の深さ寸法によって利用者自らでその場で選択する。
【０００６】
また、半折部（１−１）、否半折部（１−３）において、前記平行状の切目部（１ｃ）（１ｃ）、（１ｋ）（１ｋ）の内、交差部（２−４）に近い側の切目部（１ｃ）、（１ｋ）と交差部（２−４）との間に、短手方向に内折り部（１ｅ）、（１ｍ）を設けていると、好適なものである（請求項３）。
【０００７】
更に、箸置き本体（２−１）の前記交差部（２−４）から外方に延びる遊端部の中途に短手方向に内折り部（１ｆ）を設け、その内折り部（１ｆ）から相対する方向に折曲させた係合用片部（１−２）（１−２）同士を係合させている場合も好適なものである（請求項４）。
【０００８】
また、前記囲繞される空間方向に受け面部（２−３）（２−３）を折曲し、該受け面部（２−３）（２−３）が同士をオーバーラップさせてある場合も望ましいものである（請求項５）。
【０００９】
前記箸袋（１）は長手側一端部に占い部（３１）を、短手方向に設けた切目部（１ｗ）を介して長手方向に有し、該占い部（３１）を切目部（１ｗ）から切り離し、開いて内面の記載内容を読み取り可能にしていると望ましいものである（請求項６）。
【００１０】
そして、前記否切り離し部が占い部（３１）で構成され、該占い部（３１）は、前記折り部（１ｐ）に代えて設けられた短手方向の切目部（１ｘ）を介して設けられ、該占い部（３１）を切目部（１ｘ）から切り離し、開いて内面の記載内容を読み取り可能とし、占い部（３１）の切り離し後に前記切目部（１ｇ）から切り離された各々の袋体（１１）長手側中間部または略中間部に設けた内折り部（１ｈ）から長手方向に半折された半折部各々の遊端側同士を切目部（１ｉ）で相互に交差状に掛止させて一側の長手縁を載承部にして立体的に立つ箸置き本体を各々独立して形成している場合も有効なものである（請求項７）。
【００１１】
そして、前記切目部（１ｂ）、（１ｃ）、（１ｇ）、（１ｉ）、（１ｋ）、（１ｗ）、（１ｘ）がミシン目であると、その配箸状態からその場で箸置きを作る上で好適なものである（請求項８）。
【発明の効果】
【００１２】
本発明は以上のように構成したので下記の利点がある。
（請求項１）箸袋の長手側２等分または略２等分する位置の内折り部から折曲した半折部の遊端側同士を切目部で相互に交差状に掛止させて立体的に立つ平面視環状の箸置き本体を形成し、その箸置き本体に、底部に半折部で囲繞される空間方向またはその空間外方向に各々折曲した受け面部を有する箸置き凹部を形成しているから、丸箸等であっても転がり落ちることがなく、しかも占有スペースが無駄に大きくならずに箸置き状態を安定させ、箸先に付着する煮汁、かけ汁、調味料等が滴下しても受け面部で受け止めて、直接テーブルやテーブルクロス等を汚さず、衛生的である。
しかも、既存の、例えば三つ折箸袋等に内折り部やミシン目（切目部形成用のガイド部）を付設しておけば良く、新規な構成の箸袋を新設して対処する必要がなく、廉価に提供することができるし、遊端側を交差状に掛止させているので、所定平面視形状に保形されて使用途中で嵩張って邪魔になることもない。
しかも、前記受け面部は箸袋の一部を利用して形成されるものであるから、受け面部を別途に形成しておき、それを箸置きを作った時点で箸置き凹部に組付けるような面倒な作業を行う必要もなく、簡単に形成できる。
【００１３】
(請求項２)料理が出るまでの待ち時間を利用して、配られた１つの箸袋(２つの箸袋が一体に並設されている箸袋)からペア、アベック等が楽しめる一風変わった連続箸置き（箸置きが背中合わせに連続している）をお客自身で作ることができ、しかもその製作を楽しめる。
【００１４】
（請求項３）半折部、否半折部において平行状の切目部の内、交差部に近い側の切目部と交差部との間に設けた短手方向の内折り部の働きで、箸置き本体の先部と交差部とを結ぶ仮想線に対して直交する方向に拡がって囲繞面積を大きくして、より安定する立体的な箸置き本体を構成し、長く重量のある箸でも安定して載せることができる。
【００１５】
（請求項４）交差部から外方に延びる遊端部（余白部）を残さず、中途に設けた内折り部から折曲して、その係合用片部同士を係合させるようにしていると、その遊端部が長く残置される長尺な箸置きの場合のように、その遊端部が外方に大きく突出して嵩張り邪魔になる問題を解決した上に、より安定する箸置きを構成でき、また、自ずと請求書、レシート等の差込立て部として利用できる環状部が形成され、便利である。
【００１６】
（請求項５）その上、受け面部同士を囲繞される空間方向に折曲して、更にオーバーラップさせていると、箸先から滴下する煮汁やかけ汁、調味料等の落下迂回路を形成でき、それの落下を防止する上で好都合である。
【００１７】
（請求項６）（請求項７）しかも、開いて内面に記載内容が読み取れる占い部を連設しているので、一人でもペアでもその占いによって心和ませて箸置き作りが楽しめ、食事も一層美味しくなる。
【発明を実施するための最良の形態】
【００１８】
以下、本発明箸袋利用の箸置きの実施の形態を説明すると、図１は第１の実施の形態を、図２は第２の実施の形態を、図３〜図１１は第３の実施の形態、図１２は第４の実施の形態を、図１３、図１４、図１５、図１６は、各々第５、第６、第７、第８の実施の形態を示している。
【実施例１】
【００１９】
図１に示す第１の実施の形態において、符号１は箸袋、２はその箸袋利用の箸置きである。
この箸袋１は、片三ツ折箸袋の場合を示してあり、図１に示すように長手側中間部または略中間部に短手方向に設けた第１内折り部１ａと、一方の遊端近傍一長手縁及び他方の遊端近傍の他長手縁から各々短手方向略半分の長さをもって設けた第１ミシン目（切目部）１ｂ、１ｂと、前記第１内折り部１ａに隣設してその両脇に前記一長手縁から平行状に短手方向略半分の長さをもって設けた第２ミシン目（切目部）１ｃ、１ｃと、その第２ミシン目１ｃ、１ｃの終端間に設けた第２内折り部１ｄと、前記平行状の第１ミシン目１ｂ、１ｂと第２ミシン目１ｃとの間各々に設けた第３内折り部１ｅとを備えている。
丸数字は、その折順、切順を示している。それに併せて、内折、外折等を記述してあっても良いものであるし、出来上がり状態を参考のため斜視図で描いてあっても良いものである。
【００２０】
そして、この実施の形態では、料理が配膳されるまでの待ち時間等を利用して、箸を引き抜いた後、折順、切順に則り、まず第１内折り部１ａから長手方向に半折して半折部１−１を形成する。次に平行状の第２ミシン目１ｃ、１ｃ間を各々第２内折り部１ｄから半折部１−１内側に折曲して受け面部２−３を底部に有する箸受け凹部２−２を形成する。
そして、第３内折り部１ｅから折り込み、最後にその半折部１−１の遊端側を第１ミシン目１ｂ、１ｂで形成される第１切目部同士で交差状に掛止して一側の長手縁の載承部にして立体的に立つ箸置き本体２−１を構成して、図１の斜視図に示す箸袋利用の箸置き２を形成する。
【００２１】
前記箸置き凹部２−２は、少なくとも箸先Ａを載置できる程度の幅寸法を有している。
また、同凹部２−２の底に形成されている受け面部２−３、２−３は相互に先端部、好ましくは前半部がオーバーラップする面積にしてある。
【００２２】
斯様に構成された箸袋利用の箸置き２は、前記交差部２−４と箸受け凹部２−２との間に設けた第３内折り部１ｅの作用で、半折部１−１の頂部（第１内折り部１ａ）と交差部２−４とを結ぶ仮想線に対して直交する方向に拡がって囲繞面積を拡張し、安定する立体的な箸置き本体２−１を構成する。
【実施例２】
【００２３】
図２に示す第２の実施の形態は、図１において交差部２−４から外方に延びる遊端側の中途に短手方向に第４内折り部１ｆを設け、その第４内折り部１ｆから相対する方向に折曲させた係合用片部１−２、１−２同士を係合させたものである。
【００２４】
前記第１の実施の形態の箸袋１における第１ミシン目１ｂ、１ｂの更に遊端側に第４内折り部１ｆ、１ｆを設けた構成になっている。
【００２５】
この実施の形態は、図１に示す箸袋１よりも遊端部が長く外方に延びる長尺な箸袋（特に両三ツ折箸袋）に好適であり、係合用片部１−２、１−２同士を互いに係合することによって、長尺な箸袋において、交差部２−４から外方に延びる遊端部が外方に大きく突出して嵩張って邪魔になるようにことがなくなる。
【実施例３】
【００２６】
図３〜図１１に示す第３の実施の形態において、符号１は箸袋、２は箸袋利用の箸置きである。
この箸袋１は、２つ袋体１１、１１を一体的に並設した態様になっており、各々片端だけが開放されている。
この箸袋１は、一枚の用紙を短手方向に半折すると共に、短手方向中央部の長手方向全長、長手側の一開放縁、短手側の一開放縁を各々糊付けして、２つの箸Ａが出し入れ可能にしてある。
この箸袋１は、図３〜図７に示すように片三つ折箸袋を示し、
短手方向中間部の糊付け部分に一端（否切り離し部２１）を除く長手方向全長に亘って設けた第３ミシン目（切目部）１ｇと、
長手側中央寄りの短手方向に設けた第５内折り部１ｈと、前記第３ミシン目１ｇから切り離した際の切り離し側長手縁における否切り離し部２１近傍及び否切り離し側長手縁における開放端近傍に各々袋体１１短手方向略半分の長さをもって設けた第４ミシン目（切目部）１ｉ、１ｉと、
その第４ミシン目１ｉ、１ｉに連続して設けた第１外折り部１ｊ、１ｊと、
前記第５内折り部１ｈに隣設してその両脇に前記切り離し側長手縁から平行状に設けた第５ミシン目（切目部）１ｋ、１ｋと、
その第５ミシン目１ｋ、１ｋの終端間に設けた第６内折り部１ｌと、
前記平行状の第５ミシン目１ｋ、１ｋと第４ミシン目１ｉとの間に設けた第７内折り部１ｍと、
を備えている。
【００２７】
更に、箸袋１は、図３〜図７に示すように、袋体１１、１１の開放端端部に否切り離し側長手縁から袋体１１、１１の短手方向略半分の長さをもって第６ミシン目１ｎ（切目部）を設けるとともにその第６ミシン目１ｎに連続して第８内折り部１ｏを形成している。
【００２８】
また、箸袋１は、図３〜図７に示すように、否切り離し部２１と前記第３ミシン目１ｇとの連設部にその第３ミシン目１ｇに直角に短手方向に第２外折り部１ｐを設けると共にその第３ミシン目１ｇに連続して長手方向に否切り離し部２１を横断する第９内折り部１ｑを設け、否切り離し部２１における否切り離し側長手縁の一方の縁近傍にその縁と平行する第７ミシン目１ｒを設ける一方、前記否切り離し部２１の中央に第２外折り部１ｐと平行する第１０内折り部１ｓを設け、更に否切り離し部２１における否切り離し側長手縁の他方の縁近傍にその縁と平行する第１１内折り部１ｔを裏面側に設けている。
丸数字は、前記実施の形態と同様にその折順、切順と共に内折、外折等が記述してある。無論、出来上がり状態を参考のため斜視図で描いてあっても良いものである。
【００２９】
そして、この実施の形態では、料理が配膳されるまでの待ち時間等を利用して、折順、切順に則り、まず、図４、図５に示すように、前記第７ミシン目１ｒから帯板状（網目部分）に切取った後、前記第６ミシン目１ｎから帯板状（網目部分）に切取り、第１０内折り部１ｓから否切り離し部２１を長手方向に横折する。次いで、図６に示すように、第１１内折り部１ｔから帯板部分１ｖを折り返す。そして、図７に示すように第３ミシン目１ｇから各々袋体１１、１１を、否切り離し部２１を除いて切り離す。図８が各々の袋体１１、１１を、否切り離し部２１を中心にして背中合わせとなるように直線状に広げた状態を示す斜視図であり、否切り離し部２１の横折部２１ａが中央の第２外折り部１ｐから短手方向に横折されている。続いて図９に示すように、各々の袋体１１、１１を第５内折り部１ｈから折り込んで半折部１−１、否半折部１−３を各々形成する。そして、図１０に示すように第８内折り部１ｏから帯状板部１ｕを内側に折り込む。最後に図１１に示すように半折部１−１、否半折部１−３の第４ミシン目１ｉで形成される第２切目部同士を交差状に係止すると共に、前記帯状板部１ｕを前記半折された横折部２１ａ間に差し込んだ後、第１１内折り部１ｔから折られた前記帯板部分１ｖで横折部２１ａの遊端同士を開放しないように挟持する。これによって否切り離し部２１を隔てて一側の長手縁を載承部にして立体的に立つ２つの箸置き本体２−１、２−１が連続形成される。
そして、平行状の第５ミシン目１ｋ、１ｋ間を各々第６内折り部１ｌから半折部１−１、否半折部１−３で囲繞される空間方向に折曲して受け面部２−３、２−３を底部に有する箸受け凹部２−２、２−２を形成する。
【００３０】
前記箸置き凹部２−２は、前記実施の形態と同様に箸先Ａを載置できる程度の幅寸法を有し、箸置き本体２−１の各々の箸置き凹部２−２、２−２の底の受け面部２−３、２−３は前半部相互をオーバーラップさせてある。
【００３１】
斯様に構成された箸袋利用の箸置き２は、前記第７内折り部１ｍの作用で、先端の頂部と交差部２−４とを結ぶ仮想線に対して直交する方向に拡がって囲繞面積を拡張して、否切り離し部２１を隔てて安定状態で立つ２つの箸置き本体２−１、２−１を構成する。
そして、ペアやアベックが二人で使用する箸置きとなる。
【実施例４】
【００３２】
図１２に示す第４の実施の形態は、ペアやアベックが楽しむ箸置き２の他の実施の形態の完成図を示している。
この実施の形態は、前記する第５ミシン目１ｋ、１ｋに隣設して設けられる平行状の第４ミシン目１ｉ、１ｉを第３ミシン目１ｇから切り離した際の否切り離し側の長手縁から設け、更に否切り離し部２１の折込形態を若干異ならしめた点を除いて前記第３の実施の形態とほぼ同様な構成であるため、同一符号を付して具体的説明は省略する。
前記この第４の実施の形態とともに前記第３の実施の形態の否切り離し部２１の折込形態は、種々の構成が提案でき、図示するものに限定されるものではないこと言うまでもないものである。
【実施例５】
【００３３】
図１３に示す第５の実施の形態は、箸袋１の長手側一端部に切り離し可能に占い部３１を設けたものである。
箸袋１は図面上では差込箸袋を示し、箸入れ口とは逆側の端部にミシン目である切目部１ｗで占い部３１を切り離し可能に設けている。
箸袋１の長手側中間部または略中間部に短手方向に設けた第１内折り部１ａと、一方の遊端近傍一長手縁及び他方の遊端近傍の他長手縁から各々短手方向略半分の長さをもって設けた第１ミシン目（切目部）１ｂ、１ｂと、前記第１内折り部１ａに隣設してその両脇に前記一長手縁から平行状に短手方向略半分の長さをもって設けた第２ミシン目（切目部）１ｃ、１ｃと、その第２ミシン目１ｃ、１ｃの終端間に設けた第２内折り部１ｄと、前記平行状の第１ミシン目１ｂ、１ｂと第２ミシン目１ｃとの間各々に設けた第３内折り部１ｅとを備えた点については、前記する第１の実施の形態と同様な構成になっている。
従って、配箸状態で、まずその占い部３１を切り離した後、糊付け部分を剥がして開き、内面に記載されている内容、結果を読んで心和ませから、箸置きを作ることができる。
【実施例６】
【００３４】
図１４に示す第６の実施の形態は箸袋１が片三ツ折箸袋の場合であり、その長手側一端部に切り離し可能に占い部３１を設けたものであり、長手側一端部にミシン目である切目部１ｗで占い部３１を切り離し可能にしている。
折目、切目等は、図１と同様であるため、同一符号を付し、具体的説明は省略する。
【実施例７】
【００３５】
図１５に示す第７の実施の形態は、前記第２の実施の形態の箸袋の長手側一端部にミシン目である切目部１ｗで占い部３１を切り離し可能に設けたものであり、折目、切目等は、図２と同様であるため、同一符号を付し、具体的説明は省略する。
【実施例８】
【００３６】
図１６で示す第８の実施の形態は、前記する第３の実施の形態で示す２つ袋体１１、１１を一体的に並設した箸袋１のその否切り離し部２１を占い部３１で構成したものである。
その占い部３１は、前記折り部（１ｐ）に代えて設けられた短手方向の切目部（１ｘ）から切り離し可能になっている。
また、この箸袋１には第３の実施の形態の第３ミシン目（切目部）１ｇ、第５内折り部１ｈ、第４ミシン目（切目部）１ｉ、１ｉ、第５ミシン目（切目部）１ｋ、１ｋと、第６内折り部１ｌ、第７内折り部１ｍを備えている。
次に、箸置きへの手順を説明する、不図示であるが、第３ミシン目１ｇから各々袋体１１、１１を切り離した後、第１の実施の形態と同様な手順で一側の長手縁を載承部にして立体的に立つ箸置き本体を各々図１のように形成し、この箸置き本体から受け面部を底部に有する箸受け凹部を形成する。受け面部の折曲は各々の袋体を切り離した直後の工程で行なってもよいものである。
【図面の簡単な説明】
【００３７】
【図１】第１の実施の形態の箸袋利用の箸置きで使用される箸袋の正面図とその箸袋から作られる箸置きの斜視図を示す。
【図２】第２の実施の形態の箸袋利用の箸置きで使用される箸袋の正面図とその箸袋から作られる箸置きの斜視図を示す。
【図３】第３の実施の形態の箸袋利用の箸置きで使用される箸袋の正面図。
【図４】第１０内折り部から否切り離し部を長手方向に横折する途中状態を示す箸袋の正面図。
【図５】第１０内折り部から否切り離し部を長手方向に横折した状態を示す箸袋の正面図
【図６】第１１内折り部から帯板部分を折り返した状態を示す箸袋の正面図。
【図７】第３ミシン目から各々袋体を、否切り離し部を除いて切り離す状態を示す箸袋の正面図。
【図８】各々の袋体を、否切り離し部を中心にして背中合わせとなるように直線状に広げた状態を示す箸袋の斜視図
【図９】各々の袋体を第５内折り部から折り込んで半折部を形成した状態を示す箸袋の斜視図。
【図１０】完成前の箸置きの斜視図。
【図１１】完成させた箸置きの斜視図。
【図１２】第４実施の形態の箸袋利用の箸置きの斜視図。
【図１３】第５の実施の形態の箸置きで使用される箸袋の正面図で、（ａ）は、占い部切取り前の状態を示す。（ｂ）は、占い部を切取った状態を示す。（ｃ）は、占い部を開いている状態を示す。
【図１４】第６の実施の形態の箸置きで使用される箸袋の正面図。
【図１５】第７の実施の形態の箸置きで使用される箸袋の正面図。
【図１６】第８の実施の形態の箸置きで使用される箸袋の正面図で、（ａ）は、占い部切取り前の状態を示す。（ｂ）は、占い部を切取った状態を示す。
【符号の説明】
【００３８】
１：箸袋                                  ２−１：箸置き本体
２−２：箸受け凹部                        ２−３：受け面部
１−１：半折り部                          １−３：否半折部
１ｂ、１ｃ、１ｇ、１ｉ、１ｋ、１ｗ、１ｘ：切目部（ミシン目）
２１：否切り離し部                    １ｐ、１ｑ：折り部
１ａ、１ｅ、１ｆ、１ｍ、１ｈ：内折り部    ２−４：交差部
２：箸置き                                １−２：係合用片部
Ａ：箸                                      ３１:占い部
１１:袋体
【図１】
2005104529.tif 000003
【図２】
2005104529.tif 000004
【図３】
2005104529.tif 000005
【図４】
2005104529.tif 000006
【図５】
2005104529.tif 000007
【図６】
2005104529.tif 000008
【図７】
2005104529.tif 000009
【図８】
2005104529.tif 000010
【図９】
2005104529.tif 000011
【図１０】
2005104529.tif 000012
【図１１】
2005104529.tif 000013
【図１２】
2005104529.tif 000014
【図１３】
2005104529.tif 000015
【図１４】
2005104529.tif 000016
【図１５】
2005104529.tif 000017
【図１６】
2005104529.tif 000018